(57)【要約】【課題】  膜構造物本体膜の上面に当接される膜材を、膜構造物本体膜に強固に熱溶着させるための溶着作業が、容易にできるようにする。【解決手段】  膜構造物本体膜８に膜材１４を熱溶着する溶着装置１７は、膜構造物本体膜８上に配置される基台１８と、基台１８側から外側方に延出して、上方、下方揺動Ｃ，Ｄ可能となるよう基台１８に枢支されるアーム２４，２５と、アーム２４，２５に支持されて、アーム２４，２５の下方揺動Ｄにより膜構造物本体膜８の上面に当接可能とされる位置決めプレート４１と、アーム２４，２５に支持され、膜構造物本体膜８の上面に位置決めプレート４１が当接した状態で膜材１４に当接可能とされる熱盤４４と、アーム２４，２５に支持され、膜構造物本体膜８上に位置決めプレート４１が当接した状態で膜材１４近傍の膜構造物本体膜８の部分を負圧により上方に向けて吸着可能とする吸着装置とを備える。【選択図】  図１
2006315298.tif 000002
【特許請求の範囲】
【請求項１】
静止側に設置された膜構造物本体膜の上面に当接される膜材を、上記膜構造物本体膜に熱溶着可能とする膜構造物における膜材の溶着装置であって、
上記膜材の上面に当接可能とされる熱盤と、上記膜材近傍の上記膜構造物本体膜の部分を負圧により上方に向けて吸着可能とする吸着装置とを備えたことを特徴とする膜構造物における膜材の溶着装置。
【請求項２】
上記膜構造物本体膜の上面上に配置可能とされる基台と、この基台側から外側方に延出して、上方、下方揺動可能となるよう上記基台に枢支されるアームと、このアームに支持されて、このアームの下方揺動により上記膜構造物本体膜の上面に当接可能とされる位置決めプレートと、上記アームに支持され、上記膜構造物本体膜の上面に位置決めプレートが当接した状態で上記膜材に当接可能とされる熱盤と、上記アームに支持され、上記膜構造物本体膜の上面に位置決めプレートが当接した状態で上記膜材近傍の上記膜構造物本体膜の部分を負圧により上方に向けて吸着可能とする吸着装置とを備えたことを特徴とする請求項１に記載の膜構造物における膜材の溶着装置。
【請求項３】
上記膜構造物本体膜に沿って延びる仮想の基準線を中心として、その左右本体膜部分が互いに屈曲した膜構造物において、上記左右本体膜部分の各上面にそれぞれ上記膜材を溶着可能とする膜構造物における膜材の溶着装置であって、
上記アームを左右一対設け、これらアームの揺動中心線を、上記基準線にほぼ一致させたことを特徴とする請求項１、もしくは２に記載の膜構造物における膜材の溶着装置。
【請求項４】
上記基準線に沿って延び、上記膜構造物本体膜の上面に圧接するワイヤーを備えた膜構造物において、
上記基台が上記ワイヤーに案内され、このワイヤーに沿って前、後進可能とされたことを特徴とする請求項１から３のうちいずれか１つに記載の膜構造物における膜材の溶着装置。
【請求項５】
上記基台に対し上記アームを着脱可能としたことを特徴とする請求項３、もしくは４に記載の膜構造物における膜材の溶着装置。
【発明の詳細な説明】
【技術分野】
【０００１】
本発明は、既設の膜構造物本体膜に補強膜および／もしくは化粧膜などの膜材を溶着させる場合に、この膜構造物本体膜の上面に当接された上記膜材を、上記膜構造物本体膜に熱溶着可能とする膜構造物における膜材の溶着装置に関するものである。
【背景技術】
【０００２】
上記膜構造物は、野球場、催し物場などのドームや、サッカースタジアム、テント倉庫、体育館、商業施設などにみられるような膜材を利用した構造物であり、いわゆるテントといわれるものを含む概念である。
【０００３】
上記膜構造物において、熱可塑性の表面層を有した膜材同士を熱溶着させる溶着装置には、従来、下記特許文献１に示されるものがある。この公報のものによれば、上記溶着装置は、互いに並設された熱可塑性の表面層を有した膜材の各端縁部を上下に重ね合わせて、これら両端縁部を互いに熱溶着させるものである。
【０００４】
具体的には、上記溶着装置は、上記両端縁部の上面をこれら両端縁部に沿って移動可能とされる基台と、この基台に支持されて、上記両端縁部の間に介設され、これら両端縁部を加熱溶融させる熱盤と、上記基台に支持され、上記のように加熱された上記両端縁部の上面を転動可能とされる上ローラと、上記基台から上記両端縁部の間を通り上記両端縁部の下側にまで延出する支持アームと、この支持アームの延出端部に支持され、上記のように加熱された上記両端縁部の下面を転動可能とされる下ローラとを備えている。
【０００５】
上記溶着装置により、上記両端縁部を互いに熱溶着させる溶着作業をする場合には、これら両端縁部に沿って基台と共に熱盤を移動させる。すると、上記両端縁部は上記熱盤により加熱溶融される。そして、このように溶融された両端縁部が上記上、下ローラに挟み付けられることにより、互いに強固に熱溶着される。
【０００６】
【特許文献１】特開平７−３１４５５８号公報
【発明の開示】
【発明が解決しようとする課題】
【０００７】
ところで、上記溶着装置では、下記のような溶着作業はすることができない。即ち、既設の膜構造物本体膜の一部に補強膜および／もしくは化粧膜などの膜材を熱溶着させようとする場合において、上記溶着装置の周りに、前記のように重ね合わされた両端縁部が存在しないとすると、上記溶着装置の支持アームの延出端部と、この延出端部に支持される下ローラとを上記膜構造物本体膜の一部の下側に位置させることは不可能である。つまり、上記熱盤により溶融された膜構造物本体膜の一部と膜材とを上、下ローラで挟み付けることはできない。よって、上記溶着装置では、上記のような溶着作業はできないという問題点がある。
【０００８】
そこで、上記支持アームと下ローラとに代えて、上記膜構造物本体膜の一部の下面を押圧可能とする押圧体を上記溶着装置とは個別に設け、上記熱盤により溶融された膜構造物本体膜の一部と膜材とを上ローラと押圧体とで挟み付けて、溶着作業を進めることが考えられる。
【０００９】
しかし、上記した溶着作業では、膜構造物本体膜の上側で溶着装置についてする作業と、膜構造物本体膜の下側で押圧体についてする作業とを連係させながらする必要があるために、このような溶着作業は極めて煩雑である。
【課題を解決するための手段】
【００１０】
本発明は、上記のような事情に注目してなされたもので、本発明の目的は、静止側に設置された膜構造物本体膜の上面に当接される膜材を、上記膜構造物本体膜に強固に熱溶着させるための溶着作業が、容易にできるようにすることである。
【００１１】
請求項１の発明は、静止側２に設置された膜構造物本体膜８の上面に当接される膜材１４を、上記膜構造物本体膜８に熱溶着可能とする膜構造物における膜材の溶着装置であって、
上記膜材１４の上面に当接可能とされる熱盤４４と、上記膜材１４近傍の上記膜構造物本体膜８の部分を負圧により上方に向けて吸着可能とする吸着装置４８とを備えたものである。
【００１２】
請求項２の発明は、請求項１の発明に加えて、上記膜構造物本体膜８の上面上に配置可能とされる基台１８と、この基台１８側から外側方に延出して、上方、下方揺動Ｃ，Ｄ可能となるよう上記基台１８に枢支されるアーム２４，２５と、このアーム２４，２５に支持されて、このアーム２４，２５の下方揺動Ｄにより上記膜構造物本体膜８の上面に当接可能とされる位置決めプレート４１と、上記アーム２４，２５に支持され、上記膜構造物本体膜８の上面に位置決めプレート４１が当接した状態で上記膜材１４に当接可能とされる熱盤４４と、上記アーム２４，２５に支持され、上記膜構造物本体膜８の上面に位置決めプレート４１が当接した状態で上記膜材１４近傍の上記膜構造物本体膜８の部分を負圧により上方に向けて吸着可能とする吸着装置とを備えたものである。
【００１３】
請求項３の発明は、請求項１、もしくは２の発明に加えて、上記膜構造物本体膜８に沿って延びる仮想の基準線９を中心として、その左右本体膜部分１１，１２が互いに屈曲した膜構造物において、上記左右本体膜部分１１，１２の各上面にそれぞれ上記膜材１４を溶着可能とする膜構造物における膜材の溶着装置であって、
上記アーム２４，２５を左右一対設け、これらアーム２４，２５の揺動中心線を、上記基準線９にほぼ一致させたものである。
【００１４】
請求項４の発明は、請求項１から３のうちいずれか１つの発明に加えて、上記基準線９に沿って延び、上記膜構造物本体膜８の上面に圧接するワイヤー１０を備えた膜構造物において、
上記基台１８が上記ワイヤー１０に案内され、このワイヤー１０に沿って前、後進Ａ，Ｂ可能とされたものである。
【００１５】
請求項５の発明は、請求項３、もしくは４の発明に加えて、上記基台１８に対し上記アーム２４，２５を着脱可能としたものである。
【００１６】
なお、この項において、上記各用語に付記した符号は、本発明の技術的範囲を後述の「実施例」の項や図面の内容に限定解釈するものではない。
【発明の効果】
【００１７】
本発明による効果は、次の如くである。
【００１８】
請求項１の発明は、静止側に設置された膜構造物本体膜の上面に当接される膜材を、上記膜構造物本体膜に熱溶着可能とする膜構造物における膜材の溶着装置であって、
上記膜材の上面に当接可能とされる熱盤と、上記膜材近傍の上記膜構造物本体膜の部分を負圧により上方に向けて吸着可能とする吸着装置とを備えている。
【００１９】
このため、上記溶着装置により、膜構造物本体膜の上面に当接された膜材を、上記膜構造物本体膜の上面に熱溶着させる溶着作業をする場合には、まず、上記熱盤の熱により膜材と膜構造物本体膜とを加熱溶融させる。この際、上記吸着装置により、上記膜材近傍の膜構造物本体膜の部分を上方に向けて吸着させる。すると、上記熱盤に対する膜構造物本体膜の部分が位置ずれすることなく固定され、しかも、上記膜材に対し上記膜構造物本体膜の部分が圧接して、これら膜構造物本体膜の部分と膜材とが強固に熱溶着され、上記溶着作業が達成される。
【００２０】
よって、上記膜構造物本体膜と膜材とを強固に熱溶着させるための主たる溶着作業は、上記膜構造物本体膜の上側での作業のみによって達成される。この結果、静止側に設置された膜構造物本体膜の上面に当接される膜材を、上記膜構造物本体膜に強固に熱溶着させるための溶着作業は極めて容易にできる。
【００２１】
請求項２の発明は、上記膜構造物本体膜の上面上に配置可能とされる基台と、この基台側から外側方に延出して、上方、下方揺動可能となるよう上記基台に枢支されるアームと、このアームに支持されて、このアームの下方揺動により上記膜構造物本体膜の上面に当接可能とされる位置決めプレートと、上記アームに支持され、上記膜構造物本体膜の上面に位置決めプレートが当接した状態で上記膜材に当接可能とされる熱盤と、上記アームに支持され、上記膜構造物本体膜の上面に位置決めプレートが当接した状態で上記膜材近傍の上記膜構造物本体膜の部分を負圧により上方に向けて吸着可能とする吸着装置とを備えている。
【００２２】
このため、上記溶着装置により、膜構造物本体膜の上面に当接された膜材を、上記膜構造物本体膜の上面に熱溶着させる溶着作業をする場合には、まず、上記アームを下方揺動させて、上記位置決めプレートを膜構造物本体膜の上面に当接させ、これにより、上記膜構造物本体膜の上面に対する所定位置に、上記熱盤と吸着装置とを位置決めさせる。
【００２３】
次に、既に加熱されている上記熱盤を下降させて、上記膜材に当接させ、この膜材と膜構造物本体膜とを加熱溶融させる。この際、上記吸着装置により、上記膜材近傍の膜構造物本体膜の部分を上方に向けて吸着させる。すると、上記熱盤に対する膜構造物本体膜の部分が位置ずれすることなく固定され、しかも、上記膜材に対し上記膜構造物本体膜の部分が圧接して、これら膜構造物本体膜の部分と膜材とが強固に熱溶着され、上記溶着作業が達成される。
【００２４】
よって、上記膜構造物本体膜と膜材とを強固に熱溶着させるための主たる溶着作業は、上記膜構造物本体膜の上側での作業のみによって達成される。この結果、静止側に設置された膜構造物本体膜の上面に当接される膜材を、上記膜構造物本体膜に強固に熱溶着させるための溶着作業は極めて容易にできる。
【００２５】
請求項３の発明は、上記膜構造物本体膜に沿って延びる仮想の基準線を中心として、その左右本体膜部分が互いに屈曲した膜構造物において、上記左右本体膜部分の各上面にそれぞれ上記膜材を溶着可能とする膜構造物における膜材の溶着装置であって、
上記アームを左右一対設け、これらアームの揺動中心線を、上記基準線にほぼ一致させている。
【００２６】
このため、仮に、膜構造物の膜構造物本体膜が曲面を有していて、上記左右本体膜部分のなす交角が一定しなくても、上記したように、アームを下方揺動させて、上記位置決めプレートを膜構造物本体膜の上面に当接させれば、この膜構造物本体膜の上面に対する上記熱盤と吸着装置とのそれぞれ相対位置はほぼ一定に保たれる。つまり、上記膜構造物本体膜の上面に対する所定位置に、上記熱盤と吸着装置とを位置決めできる。
【００２７】
よって、仮に、上記基準線に沿った方向における上記膜構造物本体膜の各部分に上記膜材を熱溶着させようとする場合において、上記基準線に沿った方向で上記交角が不均一であるとしても、上記膜構造物本体膜の各部で、この膜構造物本体膜の上面に位置決めプレートを当接させさえすれば、上記したように、膜構造物本体膜の上面に対する所定位置に、上記熱盤と吸着装置とを位置決めできる。この結果、これら熱盤と吸着装置との働きによる上記熱溶着は容易にでき、つまり、上記溶着作業が容易にできる。
【００２８】
請求項４の発明は、上記基準線に沿って延び、上記膜構造物本体膜の上面に圧接するワイヤーを備えた膜構造物において、
上記基台が上記ワイヤーに案内され、このワイヤーに沿って前、後進可能とされている。
【００２９】
このため、上記溶着装置を基準線に沿っての溶着装置の移動は、上記ワイヤーに案内される分、円滑かつ精度よくなされる。よって、上記溶着作業が更に容易となる。
【００３０】
請求項５の発明は、上記基台に対し上記アームを着脱可能としている。
【００３１】
このため、仮に、上記基台に枢支された両アームのうち、いずれか一方のアームを固着させたまま、他方のアームを離脱させれば、上記一方のアームに支持された位置決めプレート、熱盤、および吸着装置によってのみ、上記溶着作業をすることができる。よって、溶着作業の自由度が向上する。
【発明を実施するための最良の形態】
【００３２】
本発明の膜構造物における膜材の溶着装置に関し、静止側に設置された膜構造物本体膜の上面に当接される膜材を、上記膜構造物本体膜に強固に熱溶着させるための溶着作業が、容易にできるようにする、という目的を実現するため、本発明を実施するための最良の形態は、次の如くである。
【００３３】
即ち、静止側に設置された膜構造物本体膜の上面に当接される膜材を、上記膜構造物本体膜に熱溶着可能とする膜構造物における膜材の溶着装置である。
【００３４】
上記溶着装置は、上記膜構造物本体膜の上面上に配置可能とされる基台と、この基台側から外側方に延出して、上方、下方揺動可能となるよう上記基台に枢支されるアームと、このアームに支持されて、このアームの下方揺動により上記膜構造物本体膜の上面に当接し、かつ、摺動可能とされる位置決めプレートと、上記アームに支持され、上記膜構造物本体膜の上面に位置決めプレートが当接した状態で上記膜材に当接可能とされる熱盤と、上記アームに支持され、上記膜構造物本体膜の上面に位置決めプレートが当接した状態で上記膜材近傍の上記膜構造物本体膜の部分を負圧により上方に向けて吸着可能とする吸着装置とを備えている。
【実施例１】
【００３５】
本発明をより詳細に説明するために、その実施例１を添付の図１−５に従って説明する。
【００３６】
図２において、符号１は膜構造物である。
【００３７】
上記膜構造物１は、静止側２である地面上に設置された骨格構造体３を備えている。この骨格構造体３は、静止側２上に設置され、側面視で半円形状をなす複数の円弧フレーム６を備えている。
【００３８】
図１−５において、上記膜構造物１は、上記円弧フレーム６群をその上方から覆うと共にこれら円弧フレーム６を介し静止側２に支持される膜構造物本体膜８を備え、この膜構造物本体膜８の少なくとも表面層は熱可塑性とされている。隣り合う両円弧フレーム６，６間のほぼ中央部を通り、かつ、上記膜構造物本体膜８に沿って延びる仮想の基準線９をそれぞれ設定したとき、これら各基準線９に沿って延び、上記膜構造物本体膜８の上面に圧接するワイヤー１０が設けられている。これら各ワイヤー１０は、それぞれ引張された状態で、その各端部がそれぞれ上記静止側２側に連結されている。
【００３９】
上記膜構造物本体膜８に対する上記ワイヤー１０の圧接により、上記基準線９を中心として、その左右本体膜部分１１，１２が互いに屈曲させられている。つまり、上記基準線９を中心として左右本体膜部分１１，１２は、その外観上、谷折れ形状とされ、これら左右本体膜部分１１，１２がなす交角θは、１８０°未満とされている。
【００４０】
上記基準線９に沿って長く延び、左右本体膜部分１１，１２に跨るようにこれら本体膜部分１１，１２の上面に当接させられる補強用膜材１４が設けられている。また、これら各膜材１４の幅方向の上面には、それぞれ耐磨耗性が高い他の膜材１５が当接されている。これら膜材１４，１５のそれぞれ少なくとも表面層は熱可塑性とされて、互いに熱溶着されている。上記両膜材１４，１５同士の熱溶着は工場にて行なわれる。そして、これら両膜材１４，１５は、上記膜構造物本体膜８がワイヤー１０による圧接で損傷するということを防止する。
【００４１】
上記膜構造物本体膜８の各本体膜部分１１，１２の上面に上記膜材１４を熱溶着可能とする溶着装置１７が設けられている。この溶着装置１７は、不図示のウィンチにより上記膜構造物１の上部側に掛吊され、上記ウィンチの駆動により、上記基準線９に沿い上記膜構造物１の上部側に向かって前進Ａ（上昇）可能、かつ、これとは逆に向かって後進Ｂ（下降）可能とされている。
【００４２】
上記溶着装置１７は、上記ウィンチに掛吊され、上記膜構造物本体膜８の本体膜部分１１，１２の上面上に配置可能とされる基台１８を備えている。この基台１８は、上記基準線９の長手方向で互いに対面する一対の支持板１９と、これら両支持板１９同士を互いに結合させる結合フレーム２０と、平面視で、上記基準線９に直交する軸心回りに回転可能となるよう上記各支持板１９に支持される前後一対の車輪２１とを備えている。これら各車輪２１の外周面には溝が形成され、これら各車輪２１の溝はそれぞれ上記ワイヤー１０に嵌合させられている。これにより、上記基台１８は、上記ワイヤー１０に支持され、かつ、このワイヤー１０に案内され、このワイヤー１０に沿って前、後進Ａ，Ｂ可能とされている。
【００４３】
上記溶着装置１７は、上記基台１８側から左右の各外側方に延出して、その延出端部が枢支具２３により上方、下方揺動Ｃ，Ｄ可能となるよう上記基台１８に枢支される左、右一対のアーム２４，２５と、これらアーム２４，２５がそれぞれほぼ水平姿勢となったとき、これらアーム２４，２５をそれぞれ上記基台１８に解除可能にロックするロック装置２６と、上記各アーム２４，２５の揺動端部に突設される把手２７とを備えている。
【００４４】
上記枢支具２３は、上記両支持板１９の互いの対向面に支持される円弧状ガイドレール３０と、これら円弧状ガイドレール３０に長手方向にのみ往復移動可能となるようこれら円弧状ガイドレール３０に支持される可動体３１とを備えている。上記各円弧状ガイドレール３０の円弧中心線は、上記基準線９にほぼ一致させられている。
【００４５】
上記各アーム２４，２５は、上記可動体３１を介して上記円弧状ガイドレール３０に支持されるブラケット３３と、このブラケット３３にレバー操作締結式の固着具３４により着脱可能に固着されるアーム本体３５とを備えている。上記可動体３１を介し上記アーム２４，２５が上記円弧状ガイドレール３０に沿って往、復移動することにより、上記アーム２４，２５が上記上方、下方揺動Ｃ，Ｄが可能とされている。そして、これらアーム２４，２５の揺動中心線は、上記円弧状ガイドレール３０の円弧中心線に一致し、つまり、上記各アーム２４，２５の揺動中心線は、上記基準線９にほぼ一致している。上記左右アーム２４，２５の各アーム本体３５は、その左右を入れ換えて、上記各ブラケット３３に着脱可能とされている。
【００４６】
上記ロック装置２６は、上記各支持板１９に支持され、これら支持板１９側から上記ブラケット３３に向かって出退可能とされるロックピン３７を備えている。上記ブラケット３３には、上記ロックピン３７と係脱可能とされるロック孔３８が形成されている。上記各アーム２４，２５をほぼ水平姿勢に回動させたとき（図１，３中、二点鎖線）、上記ロック孔３８にロックピン３７が係脱可能に係止されて、上記基台１８に対し各アーム２４，２５がロックされる。
【００４７】
上記溶着装置１７は、上記各アーム２４，２５の揺動端部に支持具４０により支持される位置決めプレート４１を備えている。この位置決めプレート４１は、上記アーム２４，２５の下方揺動Ｄにより上記膜構造物本体膜８の各本体膜部分１１，１２の上面に面当接可能とされている。また、上記位置決めプレート４１は、上記基準線９にほぼ平行に長く延び、この基準線９の長手方向で上記膜構造物本体膜８の上面に対し摺動可能とされている。上記支持具４０はねじジャッキ式とされている。この支持具４０により、上記各本体膜部分１１，１２の上面に対する各アーム２４，２５の揺動端部の離間距離が調整可能とされている。そして、この調整により、上記膜構造物本体膜８の上面に位置決めプレート４１が当接したとき、上記膜構造物本体膜８の各本体膜部分１１，１２の上面に対し、上記各アーム本体３５がほぼ平行になることとされている。
【００４８】
上記溶着装置１７は、上記各アーム２４，２５の基部と上記位置決めプレート４１との間における上記アーム２４，２５の部分に、昇降装置４３により昇降可能に支持される熱盤４４と、上記昇降装置４３により上記熱盤４４が所定寸法上昇させられたとき（図１，３中、実線）、上記熱盤４４を所定姿勢に定めると共に、それ以上の上昇を阻止するストッパ４５とを備えている。
【００４９】
上記膜構造物本体膜８の上面に位置決めプレート４１が当接した状態で（図１，３中、実線）、上記昇降装置４３により上昇させられた熱盤４４の下面は、上記膜構造物本体膜８の各本体膜部分１１，１２の上面に対し、ほぼ平行となるよう離間させられ、かつ、所定位置に位置決めされる（図１，３中、実線）。上記昇降装置４３により上記熱盤４４を下降させれば（図１，３中、一点鎖線）、この熱盤４４は、上記膜材１４に圧接状に当接可能とされる。上記昇降装置４３は圧縮空気で昇降動作するエアシリンダを備えている。また、上記熱盤４４は電力により発熱可能とされている。
【００５０】
上記溶着装置１７は、上記各アーム２４，２５の基部と上記熱盤４４との間における上記アーム２４，２５の部分に、昇降装置４７により昇降可能に支持される吸着装置４８と、上記昇降装置４７により上記吸着装置４８が所定寸法上昇させられたとき（図１，３中、実線）、上記吸着装置４８を所定姿勢に定めると共に、それ以上の上昇を阻止するストッパ４９とを備えている。
【００５１】
上記膜構造物本体膜８の上面に位置決めプレート４１が当接した状態で（図１，３中、実線）、上記昇降装置４７により上昇させられた吸着装置４８は、上記膜構造物本体膜８の各本体膜部分１１，１２の上面に対し離間させられ、かつ、所定位置に位置決めされる（図１，３中、実線）。上記昇降装置４７により上記吸着装置４８を下降させれば（図１，３中、一点鎖線）、この吸着装置４８は上記膜材１４と熱盤４４とのそれぞれ近傍における上記膜構造物本体膜８の部分を負圧により上方に向けて吸着可能とする。
【００５２】
上記溶着装置１７は、上記基台１８に対する上記各アーム２４，２５の上方、下方揺動Ｃ，Ｄを互いに同期させる同期装置５１を備えている。この同期装置５１は、上記両支持板１９の互いの対向面に支持される縦向きレール５２と、これら縦向きレール５２の長手方向にのみ往復移動可能となるようこれら縦向きレール５２に支持される可動体５３と、この可動体５３に支持される横向きレール５４と、上記アーム２４，２５のブラケット３３に支持されて上記横向きレール５４の長手方向に向かってのみ往復移動可能とされるローラである可動体５５とを備えている。
【００５３】
上記同期装置５１の縦向きレール５２の長手方向にのみ上記可動体５３と共に横向きレール５４が平行移動することと、この横向きレール５４の長手方向にのみ上記各可動体５５が移動して、これら各可動体５５に各アーム２４，２５のブラケット３３が連動することと、上記円弧状ガイドレール３０の長手方向にのみ上記可動体３１と共に上記各ブラケット３３が移動することとによって、上記各アーム２４，２５の上記各上方、下方揺動Ｃ，Ｄが互いに同期させられる。
【００５４】
なお、図１，３中、二点鎖線で示すように、左右本体膜部分１１，１２は互いに直線的に延びていてもよい（θ≒１８０°）。また、図示しないが、上記基準線９を中心として左右本体膜部分１１，１２は、その外観上、山折れ形状（θ＞１８０°）であってもよい。
【００５５】
上記構成の溶着装置１７により、上記膜構造物本体膜８の上面に当接された膜材１４を、上記膜構造物本体膜８の上面に熱溶着させる溶着作業につき、説明する。
【００５６】
まず、上記昇降装置４３，４７により、上記熱盤４４と吸着装置４８とを共に上昇させておく（図１，３中、実線）。そして、上記ウィンチの駆動により、上記基台１８を前進Ａもしくは後進Ｂさせて、上記溶着装置１７を上記基準線９の長手方向の所望位置に位置させる。次に、上記各アーム２４，２５を下方揺動Ｄさせて、上記各位置決めプレート４１を上記膜構造物本体膜８の左右本体膜部分１１，１２の上面に当接させる。すると、上記膜構造物本体膜８の左右本体膜部分１１，１２の上面に対する所定位置に、上記アーム２４，２５の各アーム本体３５と共に、上記熱盤４４と吸着装置４８とが位置決めされる。
【００５７】
次に、電力の供給で既に加熱されている上記熱盤４４を上記昇降装置４３により下降させて（図１，３中、一点鎖線）、上記膜材１４に当接させ、この膜材１４と、この膜材１４と当接している上記膜構造物本体膜８の部分とを加熱溶融させる。この際、上記昇降装置４７により、上記吸着装置４８を一旦下降させて（図１，３中、一点鎖線）、上記膜材１４と熱盤４４との近傍における膜構造物本体膜８の部分に当接させ、この膜構造物本体膜８の部分を負圧により吸着させる。
【００５８】
そして、上記吸着状態のまま、上記昇降装置４７により上記吸着装置４８を上昇させる。すると、上記熱盤４４に対する膜構造物本体膜８の部分が位置ずれすることなく固定され、しかも、上記膜材１４に対し上記膜構造物本体膜８の部分が圧接して、これら８の部分と膜材１４とが強固に熱溶着される。
【００５９】
この後は、上記吸着装置４８による吸着を解除して、上記各昇降装置４３，４７により、上記熱盤４４と吸着装置４８とを共に上昇させ、元の状態に戻す。そして、上記ウィンチの駆動により、上記基台１８を前進Ａもしくは後進Ｂさせて、上記溶着装置１７を上記基準線９の次の所望位置に位置させる。この際、上記各位置決めプレート４１は膜構造物本体膜８の上面を上記基準線９の長手方向に沿って摺動させられる。以下、上記下溶着作業を繰り返せば、上記膜構造物本体膜８に対し、上記膜材１４が全体的に強固に熱溶着され、この溶着作業が終了する。
【００６０】
よって、上記膜構造物本体膜８と膜材１４とを強固に熱溶着させるための主たる溶着作業は、上記膜構造物本体膜８の上側での作業のみによって達成される。この結果、静止側２に設置された膜構造物本体膜８の上面に当接される膜材１４を、上記膜構造物本体膜８に強固に熱溶着させるための溶着作業は極めて容易にできる。
【００６１】
また、前記したように、アーム２４，２５を左右一対設け、これらアーム２４，２５の揺動中心線を、上記基準線９にほぼ一致させている。
【００６２】
このため、仮に、上記左右本体膜部分１１，１２のなす交角θが一定しなくても、上記したように、アーム２４，２５を下方揺動Ｄさせて、上記位置決めプレート４１を膜構造物本体膜８の上面に当接させれば、この膜構造物本体膜８の上面に対する上記熱盤４４と吸着装置４８とのそれぞれ相対位置はほぼ一定に保たれる。つまり、上記膜構造物本体膜８の上面に対する所定位置に、上記熱盤４４と吸着装置４８とを位置決めできる。
【００６３】
よって、仮に、上記基準線９に沿った方向における上記膜構造物本体膜８の各部分に上記膜材１４を熱溶着させようとする場合において、上記基準線９に沿った方向で上記交角θが不均一であるとしても、上記膜構造物本体膜８の各部で、この膜構造物本体膜８の上面に位置決めプレート４１を当接させさえすれば、上記したように、膜構造物本体膜８の上面に対する所定位置に、上記熱盤４４と吸着装置４８とを位置決めできる。この結果、これら熱盤４４と吸着装置４８との働きによる上記熱溶着は容易にでき、つまり、上記溶着作業が容易にできる。
【００６４】
また、前記したように、基台１８に対する上記各アーム２４，２５の上方、下方揺動Ｃ，Ｄを互いに同期させる同期装置５１を備えている。
【００６５】
このため、上記溶着作業時に、上記各アーム２４，２５を上方、下方揺動Ｃ，Ｄさせるとき、これら各アーム２４，２５を個別に揺動操作することは不要であって、いずれか一方のアームのみの揺動操作で足りる。よって、その分、上記溶着作業がより容易となる。
【００６６】
また、前記したように、基準線９に沿って延び、上記膜構造物本体膜８の上面に圧接するワイヤー１０を備えた膜構造物において、
上記基台１８が上記ワイヤー１０に案内され、このワイヤー１０に沿って前、後進Ａ，Ｂ可能とされている。
【００６７】
このため、上記溶着装置１７を基準線９に沿っての溶着装置１７の移動は、上記ワイヤー１０に案内される分、円滑かつ精度よくなされる。よって、上記溶着作業が更に容易となる。
【００６８】
また、上記溶着装置１７の基台１８をワイヤー１０に支持させている。
【００６９】
このため、上記溶着装置１７の移動時に、この溶着装置１７からの摩擦の大きい外力で上記膜構造物本体膜８が損耗するということは抑制される。よって、上記溶着装置１７の移動に伴う膜構造物本体膜８の損耗に大きくは留意しないで足りる分、上記溶着作業が更に容易となる。
【００７０】
また、前記したように、基台１８に対し上記アーム２４，２５を着脱可能としている。
【００７１】
このため、仮に、図５で示すように、上記固着具３４への操作により、上記基台１８に枢支された両アーム２４，２５のうち、いずれか一方のアーム２４を固着させたまま、他方のアーム２５を離脱させれば、上記一方のアーム２４に支持された位置決めプレート４１、熱盤４４、および吸着装置４８によってのみ、上記溶着作業をすることができる。よって、溶着作業の自由度が向上する。
【００７２】
なお、以上は図示の例によるが、上記膜材１４の耐摩耗性を高くして、膜材１５は設けなくてもよい。また、上記膜材１４は膜構造物本体膜８の補強用に限定されるものではなく、化粧用や防水性の向上のためのものであってもよい。
【００７３】
また、上記左右アーム２４，２５の各アーム２５は、これらを互いに同形同大として、左右を入れ換え可能としてもよく、このようにすれば、溶着装置１７の部品の種類を少なくできて、構成や部品管理の簡素化が達成される。
【００７４】
以下の図６は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００７５】
本発明をより詳細に説明するために、その実施例２を添付の図６に従って説明する。
【００７６】
図６において、上記膜構造物本体膜８の端縁部が骨格構造体３のフレーム５９に支持され、上記膜構造物本体膜８の端縁部の上面に、水切り用の膜材１４が当接されている。
【００７７】
上記膜構造物本体膜８の上面に上記膜材１４を熱溶着させる溶着装置１７は、上記膜構造物本体膜８の端縁部上に摺動可能に載置される基台１８を備えている。この場合、溶着装置１７は、上記基台１８に支持され、上記膜構造物本体膜８の端縁部上を転動可能とされる車輪を備えていてもよい。
【図面の簡単な説明】
【００７８】
【図１】実施例１を示し、図３の部分拡大断面図である。
【図２】実施例１を示し、膜構造物の全体側面図である。
【図３】実施例１を示し、図２のIII−III線矢視図である。
【図４】実施例１を示し、溶着装置の平面展開図である。
【図５】実施例１を示し、図４についての作用説明図である。
【図６】実施例２を示し、図１に相当する図である。
【符号の説明】
【００７９】
１    膜構造物
２    静止側
８    膜構造物本体膜
９    基準線
１０  ワイヤー
１１  本体膜部分
１２  本体膜部分
１４  膜材
１７  溶着装置
１８  基台
２３  枢支具
２４  アーム
２５  アーム
４１  位置決めプレート
５１  同期装置
Ａ    前進
Ｂ    後進
Ｃ    上方揺動
Ｄ    下方揺動
【図１】
2006315298.tif 000003
【図２】
2006315298.tif 000004
【図３】
2006315298.tif 000005
【図４】
2006315298.tif 000006
【図５】
2006315298.tif 000007
【図６】
2006315298.tif 000008